(57)【要約】【課題】本発明は、高解像度で画像を表示するためのレンダリング駆動技法を容易に適用できる液晶表示装置の提供することを目的とする。【解決手段】液晶表示装置は、相互に隣接する二画素行で同一列に並んで配置されており、周辺画素と共有されて少なくとも２個のドットを表示するようにする第１及び第２画素と、第１及び第２画素を中心にして左右側に隣接する画素をそれぞれ含む複数の画素グループと、画素行に対してそれぞれゲート電圧を伝達する複数のゲート線と、画素にデータ電圧を伝達する複数のデータ線と、データ線と平行した第１及び第２側を具備する各画素にそれぞれ形成され、複数のスイッチング素子のうち一つの画素グループ行に形成された各スイッチング素子は第１側データ線に連結されて、隣接する画素グループ行に形成された各スイッチング素子は第２側データ線にそれぞれ連結されたスイッチング素子を含んで構成される。【選択図】図１
2005346037.tif 000002
【特許請求の範囲】
【請求項１】
相互に隣接する二画素行で同一列に並んで配置されており、周辺画素と共有されて少なくとも２個のドットを表示するようにする第１及び第２画素と、前記第１及び第２画素を中心にして左右側に隣接する画素とをそれぞれ含む複数の画素グループと、
第１方向に形成されて前記画素行に対してそれぞれ配置されており、前記画素にゲート電圧を伝達する複数のゲート線と；
第２方向に前記ゲート線と絶縁交差して配置されており、前記画素にデータ電圧を伝達するように画素列に対してそれぞれ配置されている複数のデータ線、と
前記データ線と平行な第１及び第２側を具備する前記各画素にそれぞれ形成された複数のスイッチング素子とを含み
前記複数のスイッチング素子のうち一つの前記画素グループ行に形成された各スイッチング素子は、前記第１側データ線に連結され、隣接した前記画素グループ行に形成された各スイッチング素子は前記第２側データ線にそれぞれ連結されていることを特徴とする液晶表示装置。
【請求項２】
前記液晶表示装置はレンダリング駆動技法で駆動することを特徴とする請求項１に記載の液晶表示装置。
【請求項３】
前記画素グループの前記第１及び第２画素はそれぞれ青色と白色画素であって、前記左側に隣接する画素は赤色及び緑色画素であり、前記右側に隣接する画素は緑色及び赤色画素であって、前記第１及び第２画素を中心にして対角線方向に同色画素が向き合うように配置されることを特徴とする請求項１に記載の液晶表示装置。
【請求項４】
一つの前記画素グループにおいて前記青色及び白色画素は第１極性を有し、前記赤色及び緑色画素は前記第１極性と異なる第２極性を有しており、前記画素グループに隣接する画素グループで前記第１及び第２極性が相互に反転されることを特徴とする請求項３に記載の液晶表示装置。
【請求項５】
前記複数の画素はそれぞれ前記一つの画素行で一つの画素単位で極性が反転され、２個の画素行単位で極性が反転されることを特徴とする請求項３に記載の液晶表示装置。  
【請求項６】
行方向に隣接する画素グループ毎に前記青色及び白色画素の位置が交代で互い違って配置されることを特徴とする請求項３に記載の液晶表示装置。
【請求項７】
前記画素グループの前記第１及び第２画素はすべて青色画素であって、前記左側に隣接する画素は赤色及び緑色画素であり、前記右側に隣接する画素は緑色及び赤色画素であって、前記第１及び第２画素を中心にして対角線方向に同色画素が向き合うように配置されることを特徴とする請求項１に記載の液晶表示装置。
【請求項８】
一つの前記画素グループで前記青色及び白色画素は第１極性を有して、前記赤色及び緑色画素は第２極性を有しており、隣接する画素グループで前記第１及び第２極性が相互に反転されることを特徴とする請求項７に記載の液晶表示装置。
【請求項９】
前記複数の画素はそれぞれ前記一つの画素行で一つの画素単位で極性が反転されて、２個の画素行単位で極性が反転されることを特徴とする請求項７に記載の液晶表示装置。
【請求項１０】
前記青色画素は前記緑色及び赤色画素より小さい面積を有することを特徴とする請求項７に記載の液晶表示装置。
【請求項１１】
一つの行方向には赤色、青色、緑色の画素が次々と配列されており、他の一つの行方向には緑色、白色、赤色の画素が次々と配列されていて、相互に隣接する二画素行で同一列の青色及び白色画素を中心にして対角線方向に同色画素が向き合うように配置されている複数の画素グループと、
第１方向に形成されて前記画素行に対してそれぞれ配置されており、前記画素にゲート電圧を伝達する複数のゲート線と、
第２方向に前記ゲート線と絶縁交差して配置されており、前記画素にデータ電圧を伝達するように画素列に対してそれぞれ配置されている複数のデータ線と、
前記画素にそれぞれ形成されて、前記データ電圧が伝えられる複数の画素電極と、
前記データ線と平行な第１及び第２側を具備する前記各画素にそれぞれ形成されており、前記ゲート線に連結されるゲート電極、前記データ線に連結されるソース電極及び前記画素電極に連結されるドレイン電極を含む複数の薄膜トランジスタとを含み、
一つの前記画素グループ行に形成された各薄膜トランジスタのソース電極は前記第１側データ線に連結され、隣接した前記画素グループ行に形成された各薄膜トランジスタは前記第２側データ線にそれぞれ連結されていることを特徴とする液晶表示装置。
【請求項１２】
一つの前記画素グループで前記青色及び白色画素は第１極性を有して、前記赤色及び緑色画素は第２極性を有しており、隣接する画素グループで前記第１及び第２極性が相互に反転されることを特徴とする請求項１１に記載の液晶表示装置。
【請求項１３】
一つの行方向には赤色、青色、緑色、赤色、白色、緑色の画素が次々と配列されており、他の一つの行方向には緑色、白色、赤色、緑色、青色赤色の画素が次々と配列されていて、相互に隣接する二画素行で同一列の青色及び白色画素を中心にして隣接する画素とそれぞれのグループを構成する複数の画素グループと；
第１方向に形成されて前記画素行に対してそれぞれ配置されており、前記画素にゲート電圧を伝達する複数のゲート線と；
第２方向に前記ゲート線と絶縁交差して配置されており、前記画素にデータ電圧を伝達するように画素列に対してそれぞれ配置されている複数のデータ線と；
前記画素にそれぞれ形成されて、前記データ電圧が伝えられる複数の画素電極；及び
前記データ線と平行した第１及び第２側を具備する前記各画素にそれぞれ形成されており、前記ゲート線に連結されるゲート電極、前記データ線に連結されるソース電極及び前記画素電極に連結されるドレイン電極を含む複数の薄膜トランジスタで、一つの前記画素グループ行に形成された各薄膜トランジスタのソース電極は前記第１側データ線に連結されて、隣接した前記画素グループ行に形成された各薄膜トランジスタのソース電極は前記第２側データ線にそれぞれ連結された薄膜トランジスタを含むことを特徴とする液晶表示装置。
【請求項１４】
一つの前記画素グループで前記青色及び白色画素は第１極性を有して、前記赤色及び緑色画素は第２極性を有しており、隣接する画素グループで前記第１及び第２極性が相互に反転されることを特徴とする請求項１３に記載の液晶表示装置。
【請求項１５】
一つの行方向には赤色、青色、緑色の画素が次々と配列されており、他の一つの行方向には緑色、青色、赤色の画素が次々と配列されていて、相互に隣接する二画素行で同一列の２個の青色画素を中心にして隣接する画素とそれぞれのグループを構成する複数の画素グループと；
第１方向に形成されて前記画素行に対してそれぞれ配置されており、前記画素にゲート電圧を伝達する複数のゲート線と；
第２方向に前記ゲート線と絶縁交差して配置されており、前記画素にデータ電圧を伝達するように画素列に対してそれぞれ配置されている複数のデータ線と；
前記画素にそれぞれ形成されて、前記データ電圧が伝えられる複数の画素電極；及び
前記データ線と平行した第１及び第２側を具備する前記各画素にそれぞれ形成されており、前記ゲート線に連結されるゲート電極、前記データ線に連結されるソース電極及び前記画素電極に連結されるドレイン電極を含む複数の薄膜トランジスタで、一つの前記画素グループ行に形成された各薄膜トランジスタのソース電極は前記第１側データ線に連結されて、隣接した前記画素グループ行に形成された各薄膜トランジスタのソース電極は前記第２側データ線にそれぞれ連結された薄膜トランジスタを含むことを特徴とする液晶表示装置。
【請求項１６】
一つの前記画素グループで前記青色画素は第１極性を有して、前記赤色及び緑色画素は第２極性を有しており、隣接する画素グループで前記第１及び第２極性が相互に反転されることを特徴とする請求項１５に記載の液晶表示装置。
【請求項１７】
前記青色画素は前記緑色及び赤色画素より小さい面積を有することを特徴とする請求項１５に記載の液晶表示装置。
【請求項１８】
前記請求項１乃至請求項１０に記載のいずれか一つの液晶表示装置の前記複数のゲート線に次々とゲート電圧を供給する段階；及び
一つの画素グループで前記第１及び第２画素は第１極性を有して、前記第１及び第２画素を中心にして左右側に隣接する画素は第２極性を有しており、隣接する画素グループで前記第１及び第２極性が相互に反転されるようにするデータ電圧を前記データ線に供給する段階を含むことを特徴とする液晶表示装置の駆動方法。
【請求項１９】
前記データ線に印加されるデータ電圧はコラム反転または垂直反転駆動信号であることを特徴とする請求項１８に記載の液晶表示装置の駆動方法。
【発明の詳細な説明】
【技術分野】
【０００１】
本発明は液晶表示装置に係り、さらに詳細には高解像度の画像を表示できる液晶表示装置とその駆動方法に関する。
【背景技術】
【０００２】
液晶表示装置は、一般に共通電極とカラーフィルター（Ｃｏｌｏｒ  ｆｉｌｔｅｒ）などが形成されているカラーフィルター基板と薄膜トランジスタと画素電極などが形成されている薄膜トランジスタ基板間に液晶物質が注入されている。このような液晶表示装置は前記画素電極と共通電極に相異なる電位を印加することによって電界を形成して液晶分子の配列を変更させて、これを通じて光の透過率を調節することによって画像を表現する。
【０００３】
前記カラーフィルター基板に形成される赤色、緑色、青色のカラーフィルターを配列する方法にはいろいろある。カラーフィルター基板は、前記カラーフィルターの配列方法によって、ストライプ（ｓｔｒｉｐｅ）型、モザイク（ｍｏｓａｉｃ）型、デルタ（ｄｅｌｔａ）型等に区分される。この時、前記ストライプ型は前記カラーフィルターを画素列単位で配列するものである。前記モザイク型は列及び行方向に赤色、緑色、青色のカラーフィルターを次々と配列するものである。前記デルタ型は列方向に単位画素を互い違いにジグザグ形態で配置して赤、緑、青のカラーフィルターを次々と配列するものである。
【０００４】
また、'ＣｌａｉｒＶｏｙａｎｔｅ  Ｌａｂｏｒａｔｏｒｉｅｓ'では、画像を表示する時にさらに有利な高解像度の表示能力を有すると同時に、設計費用を最小化できる'ＴｈｅＰｅｎＴｉｌｅ  ＭａｔｒｉｘTM ｃｏｌｏｒ  ｐｉｘｅｌ  ａｒｒａｎｇｅｍｅｎｔ'という画素配列構造を提案した。このようなペン・タイル・マトリックス（ＰｅｎＴｉｌｅ  Ｍａｔｒｉｘ）の画素配列構造では、青色の単位画素は２個のドットを表示する時に共に共有されており、相互に隣接する青色の単位画素は一つのデータ駆動集積回路によりデータ信号が伝えられて相異なるゲート駆動集積回路により駆動される。このようなペン・タイル・マトリックス画素構造を利用するとＳＶＧＡ（Ｓｕｐｅｒ  Ｖｉｄｅｏ  Ｇｒａｐｈｉｃｓ  Ａｒｒａｙ）級の表示装置を利用してＵＸＧＡ（Ｕｌｔｒａ  Ｅｘｔｅｎｄｅｄ  Ｇｒａｐｈｉｃｓ  Ａｒｒａｙ）級の解像度を具現することができる。また、低価なゲート駆動集積回路の数は増加するが相対的に高価なデータ駆動集積回路の数を減らすことができて表示装置の設計費用を最小化できる。上述したペン・タイル・マトリックス画素配列の液晶表示装置は高解像度の画面を具現するためにレンダリング（ｒｅｎｄｅｒｉｎｇ）駆動方式が適用される。
【０００５】
一方、上述したペン・タイル・マトリックスの画素配列を有する液晶表示装置においても液晶の劣化を防止するために一定周期でデータ電圧を反転させる反転駆動を実施しなければならない。
【０００６】
前記データ電圧の反転方式には所定列毎にデータ電圧の極性を反転させる垂直反転駆動方式と、画素別にデータ電圧の極性を反転させるドット反転駆動方式などがある。
垂直反転駆動方式は一データ線を介して流れるデータ電圧の極性がフレーム別にだけ反転されるのでスイッチングストレスや、データ線の信号遅延などの問題が大幅に減る。しかし、前記垂直反転駆動方式は垂直フリッカー現象及び垂直クロストーク現象が発生する問題点があった。
【０００７】
反面、前記ドット反転駆動方式は、前記垂直反転駆動方式で発生する垂直フリッカー現象や垂直クロストーク現象などを解消できる。しかし、所定行と所定列毎にデータ電圧の極性を反転させなければならないのでデータ線へのデータ電圧印加動作が複雑になってデータ線の信号遅延による問題が深刻になる。したがって、信号遅延を減らすために低抵抗物質でデータ線を作る等製造工程が複雑になって製造原価が増加する。
【０００８】
さらには、ペン・タイル・マトリックスの画素配列を有する液晶表示装置の反転駆動時にデータ電圧の反転が赤色、緑色及び青色画素に対して極性が不規則に発生するようになれば、これを通じてフリッカーが発生して画素列間に輝度差が発生する等表示装置の画質が低下する問題点が発生する。
【０００９】
それゆえ、上述したレンダリング駆動方式を容易に具現することができて、カラー間極性反転が均一で優れた画質を表示でき、駆動圧迫を最小化できるペン・タイル・マトリックス画素配列を有する液晶表示装置の開発が必要な実情である。
【発明の開示】
【発明が解決しようとする課題】
【００１０】
本発明が解決しようとする技術的課題は、高解像度で画像を表示するためのレンダリング駆動技法を容易に適用できる液晶表示装置及び液晶表示装置の駆動方法を提供することにある。
【課題を解決するための手段】
【００１１】
前記した技術的課題を達成するための本願第１発明による液晶表示装置は、相互に隣接する二画素行で同一列に並んで配置されており、周辺画素と共有されて少なくとも２個のドットを表示するようにする第１及び第２画素と、前記第１及び第２画素を中心にして左右側に隣接する画素をそれぞれ含む複数の画素グループと、第１方向に形成されて前記画素行に対してそれぞれ配置されており、前記画素にゲート電圧を伝達する複数のゲート線と、第２方向に前記ゲート線と絶縁交差して配置されており、前記画素にデータ電圧を伝達するように画素列に対してそれぞれ配置されている複数のデータ線と、前記データ線と平行した第１及び第２側を具備する前記各画素にそれぞれ形成された複数のスイッチング素子とを含み、前記複数のスイッチング素子のうち一つの前記画素グループ行に形成された各スイッチング素子は前記第１側データ線に連結されて、隣接した前記画素グループ行に形成された各スイッチング素子は前記第２側データ線にそれぞれ連結されている。
【００１２】
ここで、上記第１方向とは例えば液晶表示基板において横方向であり、第２方向とは横方向と交差する縦方向である。
上記のように画素が配置された液晶表示装置において、例えば奇数データ線及び偶数データ線毎にデータ電圧の極性を反転させて提供し、各データ線に印加されるデータ電圧の極性をフレーム別に反転させて提供する。このとき、実際に各画素に印加されるデータ電圧は２ドット（２−ｄｏｔ）反転される。このように画素間においてドット反転することで、垂直フリッカー現象及び垂直クロストーク現象を防止することができる。また、このようなドット反転方式を複雑な構成とすることなく得られることから、信号遅延を防止するための低抵抗物質のデータ線の形成などが必要なく、製造原価を低下させることができる。
本願第２発明は、第１発明において、前記液晶表示装置はレンダリング駆動技法で駆動できる。レンダリング駆動方式とすることで、高解像度の画面を実現することができる。
【００１３】
本願第３発明は、第１発明において、前記画素グループの前記第１及び第２画素はそれぞれ青色と白色画素であって、前記左側に隣接する画素は赤色及び緑色画素であり、前記右側に隣接する画素は緑色及び赤色画素であって、前記第１及び第２画素を中心にして対角線方向に同色画素が向き合うように配置する。
【００１４】
このような反転により、緑色、青色、赤色、白色の画素毎に規則的な反転が行われて、各画素グループ毎にカラー間の極性が同一な分布を有するようになる。これにより、同一なカラー間の透過率差によるフリッカーを解決することができる。また、白色画素を含めることで、輝度が増大された液晶表示装置を提供することができる。
【００１５】
本願第４発明は、第３発明において、一つの前記画素グループで前記青色及び白色画素は第１極性を有して、前記赤色及び緑色画素は前記第１極性と異なる第２極性を有しており、前記画素グループに隣接する画素グループで前記第１及び第２極性が相互に反転されることが望ましい。このような反転により、画素毎に規則的な反転が行われて、各画素グループ毎にカラー間の極性が同一な分布を有するようになる。これにより、同一なカラー間の透過率差によるフリッカーを解決することができる。
【００１６】
本願第５発明は、第３発明において、前記複数の画素はそれぞれ前記一つの画素行で一つの画素単位で極性が反転されて、２個の画素行単位で極性が反転されることが望ましい。このような反転により、画素毎に規則的な反転が行われて、各画素グループ毎にカラー間の極性が同一な分布を有するようになる。これにより、同一なカラー間の透過率差によるフリッカーを解決することができる。
【００１７】
本願第６発明は、第３発明において、行方向に隣接する画素グループ毎に前記青色及び白色画素の位置が交代で互い違って配置されることを特徴とする液晶表示装置を提供する。
【００１８】
青色画素がジグザグ形態で配置されて、白色画素も相互に隣接して配置されないでジグザグ形態で配置されているので、特定画素（例えば、青色画素）による縦方向の行パターン（以下、縦行パターン）が認知されない。したがって、さらに画質が改善された液晶表示装置を提供することができる。
【００１９】
本願第７発明は、第１発明において、前記画素グループの前記第１及び第２画素はすべて青色画素であって、前記左側に隣接する画素は赤色及び緑色画素であり、前記右側に隣接する画素は緑色及び赤色画素であって、前記第１及び第２画素を中心にして対角線方向に同色画素が向き合うように配置されることを特徴とする液晶表示装置を提供する。本願第７発明の液晶表示装置は、第１発明と同様の作用効果を有する。
【００２０】
本願第８発明は、第７発明において、一つの前記画素グループで前記青色及び白色画素は第１極性を有して、前記赤色及び緑色画素は第２極性を有しており、隣接する画素グループで前記第１及び第２極性が相互に反転されることを特徴とする液晶表示装置を提供する。
【００２１】
本願第９発明は、第７発明において、前記複数の画素はそれぞれ前記一つの画素行で一つの画素単位で極性が反転されて、２個の画素行単位で極性が反転されることを特徴とする液晶表示装置を提供する。
【００２２】
本願第１０発明は、第７発明において、前記青色画素は前記緑色及び赤色画素より小さい面積を有することを特徴とする液晶表示装置を提供する。
レンダリング駆動を実施する時、青色（Ｂ）画素は解像度に及ぼす影響が微細なため、青色（Ｂ）画素領域は無視して、赤色（Ｒ）または緑色（Ｇ）画素に印加される画素電圧を設定して印加する。ところが、実質的に青色（Ｂ）画素が占める領域が存在するので画像が表示される画素の中心とレンダリング駆動時画素の中心がねじれるようになって位相誤差（ｐｈａｓｅ  ｅｒｒｏｒ）が発生する。青色（Ｂ）画素の面積を赤色及び緑色（Ｒ、Ｇ）画素の面積より小さく形成して実質的に青色（Ｂ）画素が占める領域を減らすことにより、上記のような問題を解決することができる。
【００２３】
本願第１１発明は、一つの行方向には赤色、青色、緑色の画素が次々と配列されており、他の一つの行方向には緑色、白色、赤色の画素が次々と配列されていて、相互に隣接する二画素行で同一列の青色及び白色画素を中心にして対角線方向に同色画素が向き合うように配置されている複数の画素グループと、第１方向に形成されて前記画素行に対してそれぞれ配置されており、前記画素にゲート電圧を伝達する複数のゲート線と、第２方向に前記ゲート線と絶縁交差して配置されており、前記画素にデータ電圧を伝達するように画素列に対してそれぞれ配置されている複数のデータ線と、前記画素にそれぞれ形成されて、前記データ電圧が伝えられる複数の画素電極と、前記データ線と平行な第１及び第２側を具備する前記各画素にそれぞれ形成されており、前記ゲート線に連結されるゲート電極、前記データ線に連結されるソース電極及び前記画素電極に連結されるドレイン電極を含む複数の薄膜トランジスタとを含み、一つの前記画素グループ行に形成された各薄膜トランジスタのソース電極は前記第１側データ線に連結され、隣接した前記画素グループ行に形成された各薄膜トランジスタは前記第２側データ線にそれぞれ連結されていることを特徴とする液晶表示装置を提供する。本願第１１発明の液晶表示装置は、第１発明と同様の作用効果を有する。
【００２４】
本願第１２発明は、第１１発明において、一つの前記画素グループで前記青色及び白色画素は第１極性を有して、前記赤色及び緑色画素は第２極性を有しており、隣接する画素グループで前記第１及び第２極性が相互に反転されることを特徴とする液晶表示装置を提供する。
【００２５】
このような反転により、画素毎に規則的な反転が行われて、各画素グループ毎にカラー間の極性が同一な分布を有するようになる。これにより、同一なカラー間の透過率差によるフリッカーを解決することができる。
【００２６】
本願第１３発明は、一つの行方向には赤色、青色、緑色、赤色、白色、緑色の画素が次々と配列されており、他の一つの行方向には緑色、白色、赤色、緑色、青色赤色の画素が次々と配列されていて、相互に隣接する二画素行で同一列の青色及び白色画素を中心にして隣接する画素とそれぞれのグループを構成する複数の画素グループと；第１方向に形成されて前記画素行に対してそれぞれ配置されており、前記画素にゲート電圧を伝達する複数のゲート線と；第２方向に前記ゲート線と絶縁交差して配置されており、前記画素にデータ電圧を伝達するように画素列に対してそれぞれ配置されている複数のデータ線と；前記画素にそれぞれ形成されて、前記データ電圧が伝えられる複数の画素電極；及び、前記データ線と平行した第１及び第２側を具備する前記各画素にそれぞれ形成されており、前記ゲート線に連結されるゲート電極、前記データ線に連結されるソース電極及び前記画素電極に連結されるドレイン電極を含む複数の薄膜トランジスタで、一つの前記画素グループ行に形成された各薄膜トランジスタのソース電極は前記第１側データ線に連結されて、隣接した前記画素グループ行に形成された各薄膜トランジスタのソース電極は前記第２側データ線にそれぞれ連結された薄膜トランジスタを含むことを特徴とする液晶表示装置を提供する。本願第１３発明の液晶表示装置は、第１発明と同様の作用効果を有する。
【００２７】
本願第１４発明は、第１３発明において、一つの前記画素グループで前記青色及び白色画素は第１極性を有して、前記赤色及び緑色画素は第２極性を有しており、隣接する画素グループで前記第１及び第２極性が相互に反転されることを特徴とする液晶表示装置を提供する。
【００２８】
このような反転により、画素毎に規則的な反転が行われて、各画素グループ毎にカラー間の極性が同一な分布を有するようになる。これにより、同一なカラー間の透過率差によるフリッカーを解決することができる。
【００２９】
本願第１５発明は、一つの行方向には赤色、青色、緑色の画素が次々と配列されており、他の一つの行方向には緑色、青色、赤色の画素が次々と配列されていて、相互に隣接する二画素行で同一列の２個の青色画素を中心にして隣接する画素とそれぞれのグループを構成する複数の画素グループと；第１方向に形成されて前記画素行に対してそれぞれ配置されており、前記画素にゲート電圧を伝達する複数のゲート線と；第２方向に前記ゲート線と絶縁交差して配置されており、前記画素にデータ電圧を伝達するように画素列に対してそれぞれ配置されている複数のデータ線と；前記画素にそれぞれ形成されて、前記データ電圧が伝えられる複数の画素電極；及び前記データ線と平行した第１及び第２側を具備する前記各画素にそれぞれ形成されており、前記ゲート線に連結されるゲート電極、前記データ線に連結されるソース電極及び前記画素電極に連結されるドレイン電極を含む複数の薄膜トランジスタで、一つの前記画素グループ行に形成された各薄膜トランジスタのソース電極は前記第１側データ線に連結されて、隣接した前記画素グループ行に形成された各薄膜トランジスタのソース電極は前記第２側データ線にそれぞれ連結された薄膜トランジスタを含むことを特徴とする液晶表示装置を提供する。本願第１５発明の液晶表示装置は、第１発明と同様の作用効果を有する。
【００３０】
本願第１６発明は、第１５発明において、一つの前記画素グループで前記青色画素は第１極性を有して、前記赤色及び緑色画素は第２極性を有しており、隣接する画素グループで前記第１及び第２極性が相互に反転されることを特徴とする液晶表示装置を提供する。
【００３１】
このような反転により、画素毎に規則的な反転が行われて、各画素グループ毎にカラー間の極性が同一な分布を有するようになる。これにより、同一なカラー間の透過率差によるフリッカーを解決することができる。
【００３２】
本願第１７発明は、第１５発明において、前記青色画素は前記緑色及び赤色画素より小さい面積を有することを特徴とする液晶表示装置を提供する。
実質的に青色（Ｂ）画素が占める領域が存在することにより画像が表示される画素の中心とレンダリング駆動時画素の中心がねじれるようになって位相誤差（ｐｈａｓｅ  ｅｒｒｏｒ）が発生するという問題を解決することができる。
【００３３】
本願第１８発明は、前記請求項１乃至請求項１０に記載のいずれか一つの液晶表示装置の前記複数のゲート線に次々とゲート電圧を供給する段階；及び一つの画素グループで前記第１及び第２画素は第１極性を有して、前記第１及び第２画素を中心にして左右側に隣接する画素は第２極性を有しており、隣接する画素グループで前記第１及び第２極性が相互に反転されるようにするデータ電圧を前記データ線に供給する段階を含むことを特徴とする液晶表示装置の駆動方法を提供する。
【００３４】
本願第１９発明は、第１８発明において、前記データ線に印加されるデータ電圧はコラム反転または垂直反転駆動信号であることを特徴とする記載の液晶表示装置の駆動方法を提供する。
【００３５】
一方、前記技術的課題を達成するための本発明による液晶表示装置の駆動方法は、前記液晶表示装置の前記複数のゲート線に次々とゲート電圧を供給する段階と、一つの画素グループで前記第１及び第２画素は第１極性を有して、前記第１及び第２画素を中心にして左右側に隣接する画素は第２極性を有しており、隣接する画素グループで前記第１及び第２極性が相互に反転されるようにするデータ電圧を前記データ線に供給する段階を含む。
【００３６】
ここで、前記データ線に印加されるデータ電圧はカラム（column）反転または垂直反転駆動信号であることが望ましい。
その他実施形態の具体的な事項は詳細な説明及び図面に含まれている。
【発明の効果】
【００３７】
本発明の液晶表示装置によれば次のような効果が一つあるいはそれ以上ある。
レンダリング駆動方式で駆動できて、表示特性が優れた２ドット反転が行われると同時に、緑色、青色、赤色画素別に規則的な反転駆動が行われるようにすることができる。
【００３８】
また、高解像度で画像を表示するためのレンダリング駆動時、白色画素が追加されて液晶表示装置の輝度を増大させることができる。
また、垂直反転駆動方式を用いて駆動圧迫を最小化して、垂直フリッカー現象及び垂直クロストーク現象を防止することができる。
【発明を実施するための最良の形態】
【００３９】
本発明の利点及び特徴、そしてそれらを達成する方法は添付される図面と共に詳細に後述されている実施形態を参照すると明確になることである。しかし本発明は以下で開示する実施形態に限られることでなく相異なる多様な形態で具現されることであり、単に本実施形態は本発明の開示が完全なようにし、本発明が属する技術分野で通常の知識を有する者に発明の範ちゅうを完全に知らせるために提供することであり、本発明は請求項の範ちゅうにより定義されるだけである。明細書全体にかけて同一参照符号は同一構成要素を称する。
＜第１実施形態＞
先に、本発明の第１実施形態による液晶表示装置及びその駆動方法を説明する。
【００４０】
図１は、本発明の第１実施形態による液晶表示装置で画素配列及びスイッチング素子の配置を簡略に示した概略図である。
図１に示したように、本発明の第１実施形態による液晶表示装置は、マトリックス状に配列されている赤色、青色、緑色、白色（Ｒ、Ｂ、Ｇ、Ｗ）のカラーフィルター用画素が形成されている。この時、一つの行方向には赤色（Ｒ）、青色（Ｂ）、緑色（Ｇ）の画素が次々と配列されており、他の一つの行方向には緑色（Ｇ）、ホワイト（Ｗ）、赤色（Ｒ）の画素が次々と配列されている。これにより、相互に隣接する二画素行で同一列に並んで配置された青色及び白色（Ｂ、Ｗ）画素を中心にして対角線方向に赤色及び緑色（Ｒ、Ｇ）画素が同色画素どうし向き合うように配置された構造を有する。
【００４１】
ここで、前記同一列に並んで配置された青色及び白色画素を第１及び第２画素（Ｂ、Ｗ）と表現すると、前記第１及び第２画素（Ｂ、Ｗ）と、前記第１及び第２画素（Ｂ、Ｗ）を中心にして左右側に隣接する画素（Ｒ、Ｇ、Ｇ、Ｒ）で構成された集合を以下では画素グループａと命名する。ここで、図１中画素グループａでは、第１及び第２画素（Ｂ、Ｗ）の左には（Ｒ、Ｇ）が位置し、右には（Ｇ、Ｒ）が位置している。前記画素グループａは行方向及び列方向に反復的に形成されてそれぞれ画素グループ行ＰＧＲと画素グループ列ＰＧＣを構成する。
【００４２】
前記第１及び第２画素（Ｂ、Ｗ）は周辺画素と共有されて少なくとも２個のドットを表示できるため、本発明の第１実施形態による液晶表示装置は高解像度の画面表示に有利なレンダリング技術を具現することができる。
【００４３】
一方、前記白色（Ｗ）画素はカラーフィルターを除去した形態で具現されることができ、前記白色画素が追加されることによって、液晶表示装置の輝度が改善される。
横方向にはゲート電圧を伝達するゲート線Ｇがそれぞれの画素行に対して一つずつ形成されている。
【００４４】
縦方向にはデータ電圧を伝達しており、前記ゲート線Ｇと交差して単位画素を定義するデータ線Ｄが前記ゲート線Ｇと絶縁されて画素列に対して形成されている。
ここで、ゲート線Ｇとデータ線Ｄが交差する部分には一つの画素毎にスイッチング素子である薄膜トランジスタＴがそれぞれ形成されている。
【００４５】
各画素で前記データ線と平行な方向の左右側面をそれぞれ第１及び第２側というものとする。一つの前記画素グループ行ＰＧＲnに属する画素のそれぞれの薄膜トランジスタＴは、当該画素に対して第１側方向のデータ線と電気的に連結される。一方、隣接する画素グループ行ＰＧＲn+1に属する画素のそれぞれの薄膜トランジスタＴは、当該画素に対して第２側方向のデータ線と電気的に連結される。
【００４６】
具体的に、図１に示したように、画素グループ行ＰＧＲnでありｉ行及びｉ+１行に属する画素に形成されたそれぞれの薄膜トランジスタＴは、図１中左側データ線に連結されている。また、画素グループ行ＰＧＲn+1でありｉ+２行及びｉ+３行に属する画素に形成されたそれぞれの薄膜トランジスタＴは右側データ線に連結されている。すなわち、画素グループ行ＰＧＲ別に薄膜トランジスタの位置が交代で互い違いに繰り返されている。
【００４７】
次は、このような画素配列構造を有する本発明の第１実施形態による液晶表示装置の薄膜トランジスタ基板の構造に対して図２及び図３を参照してさらに詳細に説明する。
図２は、本発明の第１実施形態による液晶表示装置の画素配列構造と共にその薄膜トランジスタ基板を図示した配置図であって、図３は図２のＩＩＩ−ＩＩＩ’線に沿って切って図示した液晶表示装置用薄膜トランジスタ基板の断面図である。
【００４８】
図２及び図３に示したように、絶縁基板１０上にゲート配線が形成されている。ゲート配線は画素の行方向にそれぞれの画素行に対して一つずつ形成されているゲート線２０、前記ゲート線２０の端に連結されて外部からのゲート信号を印加を受けて前記ゲート線２０に伝達するゲートパッド２２及び前記ゲート線２０に連結されている薄膜トランジスタのゲート電極２１を含む。
【００４９】
また、絶縁基板１０上に窒化ケイ素または酸化ケイ素のような絶縁物質からなるゲート絶縁膜３０が前記ゲート配線を覆っている。
前記ゲート電極２１上部のゲート絶縁膜３０上には非晶質ケイ素などの半導体で構成された半導体層４０がアイランド形態に形成されている。前記半導体層４０上部にはケイ化物またはｎ型不純物が高農度でドーピングされているｎ+水素化非晶質ケイ素などの物質で作られた抵抗性接触層５１、５２がそれぞれ形成されている。
【００５０】
前記抵抗性接触層５１、５２及び前記ゲート絶縁膜３０上にはデータ配線が形成されている。前記データ配線は縦方向に形成されて前記ゲート線２０と交差して画素を定義するデータ線６０、前記データ線６０の分枝であり抵抗性接触層５１の上部まで延びているソース電極６１、データ線６０の一側端に連結されていて外部からの画像信号の印加を受けるデータパッド６３、ソース電極６１と分離されていてゲート電極２１に対してソース電極６１の反対側抵抗性接触層５２上部に形成されているドレイン電極６２を含む。
【００５１】
一方、薄膜トランジスタは、前記ゲート線２０と連結されているゲート電極２１と前記データ線６０と連結されているソース電極６１及び前記ゲート電極２１に対してソース電極６１と反対側に形成されているドレイン電極６２及び半導体層４０を含む。
【００５２】
また、各画素で前記データ線６０と平行な方向の左右側側面をそれぞれ第１及び第２側というものとする。上述した一つの画素グループ行ＰＧＲnに属する画素のそれぞれの前記薄膜トランジスタのソース電極６１は、当該画素に対して前記第１側方向のデータ線と電気的に連結されている。また、隣接する画素グループ行ＰＧＲn+1に属する画素のそれぞれの薄膜トランジスタのソース電極６１は、当該画素に対して前記第２側方向のデータ線と電気的に連結している。
【００５３】
具体的に、前の図１で、ｉ行及びｉ+１行に属する画素に形成されたそれぞれの薄膜トランジスタＴは同じ方向である左側データ線に連結されて、ｉ+２行及びｉ+３行に属する画素に形成されたそれぞれの薄膜トランジスタＴは反対方向である右側データ線に連結されている。すなわち、画素グループ行別に薄膜トランジスタの位置が交代で互い違って繰り返されている。
【００５４】
前記データ配線及びこれらが遮らない半導体層４０上部には保護膜７０が形成されている。前記保護膜７０にはドレイン電極６２及びデータパッド６３をそれぞれ露出する接触孔７１、７３が形成されており、ゲート絶縁膜３０と共にゲートパッド２２をさらけ出す接触孔７２が形成されている。
【００５５】
前記保護膜７０上には接触孔７１を介してドレイン電極６２と電気的に連結していて画素に位置する画素電極８０が形成されている。また、保護膜７０上には接触孔７２、７３を介してそれぞれゲートパッド２２及びデータパッド６３と連結されている補助ゲートパッド８１及び補助データパッド８２が形成されている。ここで、前記画素電極８０は前段のゲート線２０と重なって維持容量を形成する。
【００５６】
一方、本発明の第１実施形態では画素電極８０を前段のゲート線２０に重なるようにして維持容量を形成する方式を例に挙げて説明したが、前記維持容量は別途の配線を介して設計されることができる。
【００５７】
次に、上述した本発明の第１実施形態による液晶表示装置を駆動するための駆動装置及びその駆動方法に対して、図４及び図５を参照しながら詳細に説明する。
図４は、本発明の第１実施形態による液晶表示装置を駆動するための駆動装置を簡略に示した概略図であって、図５は、本発明の第１実施形態による液晶表示装置を垂直反転駆動する場合に、画素に印加される極性を示した配置図である。
【００５８】
図４に示したように本発明の第１実施形態による液晶表示装置の駆動装置は、ゲート駆動部２００、データ駆動部３００、駆動電圧発生部４００、タイミング制御部５００、及び階調電圧発生部６００で構成される。
【００５９】
タイミング制御部５００はＬＣＤモジュール外部のグラフィック制御部（図示せず）からＲ（ｒｅｄ）、Ｇ（ｇｒｅｅｎ）、Ｂ（ｂｌｕｅ）データ信号、フレーム区別信号である垂直同期信号Ｖｓｙｎｃ、行区別信号である水平同期信号Ｈｓｙｎｃ及びメインクロック信号ＣＬＫを提供受けてゲート駆動部２００及びデータ駆動部３００を駆動するための各種デジタル信号を出力する。特に、本発明の実施形態ではデータ駆動部３００が反転駆動するように制御するための反転制御信号（ＲＶＳ：ｒｅｖｅｒｓｅ  ｓｉｇｎａｌ）を生成してデータ駆動部３００に提供する。
【００６０】
データ駆動部３００は、液晶パネル１００内の各画素に伝達される電圧値を１ラインずつ出力する役割をする。さらに詳細に言えば、データ駆動部３００はタイミング制御部５００から出力されるデジタル画像データをデータ駆動部内のシフトレジスター内に貯蔵する。そして、データ駆動部３００は、データを液晶パネル１００に出力することを命令する信号（ＬＯＡＤ信号）を受信すれば、それぞれのデータに該当する電圧を選択して液晶パネル１００内にこの電圧を伝達する役割をする。この時、タイミング制御部５００から出力される反転制御信号によってデータ電圧の極性を反転させて液晶パネル１００に提供する。
【００６１】
ゲート駆動部２００は、前記データ駆動部３００からのデータが画素に伝達できるようにスイッチングする役割をする。液晶パネル１００の各画素はスイッチの役割をする薄膜トランジスタＴによりオンやオフされるが、この薄膜トランジスタＴのオン、オフはゲートに一定電圧Ｖｏｎ、Ｖｏｆｆが印加されることによって行なわれる。
【００６２】
このようにゲートをオンにするＶｏｎ電圧とゲートをオフにするＶｏｆｆ電圧は、駆動電圧発生部４００から生成される。駆動電圧発生部４００はＶｏｎ、Ｖｏｆｆ電圧だけでなく薄膜トランジスタＴ内のデータ電圧差の基準になるＶｃｏｍ電圧も生成する。そして、階調電圧発生部６００はデータ駆動部３００に入る階調電圧を生成する。
【００６３】
次は、本発明の第１実施形態による液晶表示装置の駆動方法を説明する。
前記タイミング制御部５００は液晶に印加する画像信号を外部の信号源（図示せず）から受けて処理してデータ信号を作成する。そして、タイミング制御部５００は、データ駆動部３００に生成されたデータ信号を提供して、液晶駆動に必要な各種タイミング信号を生成する。
【００６４】
ゲート駆動部２００は、画素にデータ電圧が印加できるように各画素の薄膜トランジスタＴをターンオンさせるゲート電圧をゲート線Ｇ１〜Ｇｉに順に次々と出力する。
続いて、データ駆動部３００は、タイミング制御部５００が提供するデータ電圧（具体的に、階調電圧）を前記液晶パネル１００に形成されたデータ線Ｄ１〜Ｄｊに印加する。これにより、前記ゲート電圧が前記ゲート線Ｇ１〜Ｇｉに次々と印加されると、各画素に前記データ電圧が充電される。
【００６５】
この時、データ駆動部３００は、タイミング制御部２００が提供する反転制御信号によって、奇数データ線Ｄ１、Ｄ３、．．．及び偶数データ線Ｄ２、Ｄ４、．．．毎にデータ電圧の極性を反転させて提供して、各データ線に印加されるデータ電圧の極性をフレーム別に反転させて提供する。具体的に、各データ線を介して流れるデータ電圧は奇数データ線Ｄ１、Ｄ３、．．．では第１極性であって、偶数データ線Ｄ２、Ｄ４、．．．では前記第１極性と反対極性を有する第２極性を有するようにする。また、これと同時に一つのデータ線を介して流れる前記第１または第２極性のデータ電圧はフレーム別に反転されるようにする。
【００６６】
このような駆動方式をカラム反転（Ｃｏｌｕｍｎ  ｉｎｖｅｒｓｉｏｎ）駆動方式または垂直反転（Ｖｅｒｔｉｃａｌ  ｉｎｖｅｒｓｉｏｎ）駆動方式という。前記垂直反転駆動方式はデータ電圧をフレーム別に反転させるので、スイッチングストレス、劣化、信号遅延現象などの駆動時の障害を最小化できる長所を有する。
【００６７】
一方、前記垂直反転駆動方式で本発明の第１実施形態による液晶表示装置を駆動するようになれば、実際に各画素に印加されるデータ電圧は２ドット（２−ｄｏｔ）反転される。このような、画素間のドット反転は垂直フリッカー現象及び垂直クロストーク現象を防止することができる長所があって、液晶表示装置の優れた画面表示が可能である。また、このようなドット反転方式を複雑な構成とすることなく得られることから、信号遅延を防止するための低抵抗物質のデータ線の形成などが必要なく、製造原価を低下させることができる。
【００６８】
それゆえ、図５に示したように、上述した一つの画素グループａで前記青色及び白色（Ｂ、Ｗ）画素が−の極性を示す時、前記赤色及び緑色（Ｒ、Ｇ）画素は＋の極性を示す。また、前記画素グループａのそれぞれの画素の極性は画素グループ行ＰＧＲ方向及び画素グループ列ＰＧＣ方向に隣接する画素グループａ毎にその極性が反転されて現れる。
【００６９】
また、このような反転で、前記緑色、青色、赤色、白色（Ｇ、Ｂ、Ｒ、Ｗ）の画素毎に規則的な反転が行われて、各画素グループ毎にカラー間の極性が同一な分布を有するようになる。これにより、同一なカラー間の透過率差によるフリッカーを解決することができる。
【００７０】
まとめると、第１実施形態例により、表示特性が優れた２ドット反転が行われると同時に、緑色、青色、赤色画素。に規則的な反転駆動が行われるようにする液晶表示装置を提供することができる。また、白色画素を設けることで、輝度が増大された液晶表示装置を提供することができる。さらに、液晶表示装置の一データ線を介して流れるデータ電圧の極性をフレーム別にだけ反転させて駆動圧迫を最小化すると同時に、見かけ画素反転は２ドット反転が行われるようにする液晶表示装置の駆動方法を提供することができる。また、液晶表示装置の一データ線を介して流れるデータ電圧の極性をフレーム別にだけ反転させて駆動圧迫を最小化すると同時に、垂直フリッカー現象及び垂直クロストーク現象を防止する液晶表示装置の駆動方法を提供することができる。
＜第２実施形態＞
次は、本発明の第２実施形態による液晶表示装置及びその駆動方法を説明する。
【００７１】
図６は、本発明の第２実施形態による液晶表示装置で画素配列及びスイッチング素子の配置を簡略に示した概略図であって、図７は本発明の第２実施形態による液晶表示装置の画素配列構造と共にその薄膜トランジスタ基板を図示した配置図である。
【００７２】
図６及び図７に示したように、本発明の第２実施形態による液晶表示装置は画素配列及び一部構造を除外した大部分の構造が上述した本発明の第１実施形態と同一である。
本発明の第２実施形態による液晶表示装置は、マトリックス状に配列されている赤色、青色、緑色、白色（Ｒ、Ｂ、Ｇ、Ｗ）のカラーフィルター用画素が形成されている。この時、一つの行方向には赤色、青色、緑色、赤色、白色、緑色（Ｒ、Ｂ、Ｇ、Ｒ、Ｗ、Ｇ）の画素が次々と配列されており、他の一つの行方向には緑色、白色、赤色、緑色、青色、赤色（Ｇ、Ｗ、Ｒ、Ｇ、Ｂ、Ｒ）の画素が次々と配列されている。これにより、相互に隣接する二画素行で同一列の青色及び白色（Ｂ、Ｗ）画素を中心にして隣接する画素とそれぞれ第１及び第２画素グループａ、ｂを構成する。
【００７３】
この時、前記第１及び第２画素グループａ、ｂは行方向に前記第１画素グループａと前記第２画素グループｂが交互に反復的に形成されて一つの画素グループ行を構成する。また、前記第１及び第２画素グループａ、ｂは列方向には同じ配列で続けて繰り返されてそれぞれの画素グループ列を構成する。
【００７４】
このような構造によって、本発明の第２実施形態による液晶表示装置で、青色、赤色及び緑色画素は隣接した２個の画素行にかけてジグザグ形態で配置されており、白色画素もジグザグ形態で配置されるようになる。
【００７５】
次は、このような画素配列構造を有する本発明の第２実施形態による液晶表示装置の薄膜トランジスタ基板の構造に対して図７を参照して詳細に説明する。
ここで、大部分の断面構造は本発明の第１実施形態の構造と同一であって断面構造に対する説明は省略する。
【００７６】
本発明の第２実施形態による液晶表示装置は、本発明の第１実施形態とは異なるように、横方向にはゲート線２０と同一な層で画素電極８０と重なって維持容量を形成する維持電極線２３が形成されている。データ配線６０はドレイン電極６２に連結されていて維持電極線２３と重なって維持容量を増加させるための維持蓄電器用導電体パターン６４をさらに含む。もちろん、本発明の第１実施形態と同一に、別途の維持電極線なく画素電極８０を前段のゲート線に重なるようにして維持容量を形成することもできる。
【００７７】
また、画素電極８０とデータ配線６０を連結するための保護膜７０（図３参照）の接触孔７１は維持蓄電器用導電体パターン６４の上部に形成されている。
また、本発明の第１実施形態による液晶表示装置と同一に、前の図６で、ｉ行及びｉ+１行に属する画素に形成されたそれぞれの薄膜トランジスタＴは、当該画素に対して同じ方向である左側データ線に連結されている。また、ｉ+２行及びｉ+３行に属する画素に形成されたそれぞれの薄膜トランジスタＴは、反対方向である右側データ線に連結されている。すなわち、画素グループ行別に薄膜トランジスタの位置が交代で互い違って繰り返されている。
【００７８】
それゆえ、本発明の第２実施形態による液晶表示装置は本発明の第１実施形態と同一な駆動方法で駆動できる。
また、赤色及び緑色（Ｒ、Ｇ）画素だけでなく、青色（Ｂ）画素もジグザグ形態で配置されて、白色（Ｗ）画素も相互に隣接して配置されないでジグザグ形態で配置されているので、特定画素（例えば、青色画素）による縦方向の行パターン（以下、縦行パターン）が認知されない。したがって、本発明の第２実施形態は本発明の第１実施形態と同様の効果を有すると同時にさらに画質が改善された液晶表示装置を提供することができる。
＜第３実施形態＞
次は、本発明の第３実施形態による液晶表示装置及びその駆動方法を説明する。
【００７９】
図８は、本発明の第３実施形態による液晶表示装置で画素配列及びスイッチング素子の配置を簡略に示した概略図であって、図９は本発明の第３実施形態による液晶表示装置の画素配列構造と共にその薄膜トランジスタ基板を図示した配置図である。
【００８０】
図８及び図９に示したように、本発明の第３実施形態による液晶表示装置は画素配列を除外したすべての構造が上述した本発明の第１または第２実施形態と同一であり、本発明の第１実施形態と同一な方式で駆動できる。
【００８１】
本発明の第３実施形態による液晶表示装置は、マトリックス状に配列されている赤色、青色、緑色（Ｒ、Ｂ、Ｇ）のカラーフィルター用画素が形成されている。この時、一つの行方向には赤色、青色、緑色（Ｒ、Ｂ、Ｇ）の画素が次々と配列されており、他の一つの行方向には緑色、青色、赤色（Ｇ、Ｂ、Ｒ）の画素が次々と配列されていて、相互に隣接する二画素行で２個の青色（Ｂ）画素を中心にして対角線方向に同色画素が向き合うように配置された構造を有する。
【００８２】
ここで、前記２個の青色（Ｂ）画素と前記青色画素（Ｂ）を中心にして左右側に隣接する画素（Ｒ、Ｇ、Ｇ、Ｒ）で構成された集合を以下では画素グループｃと命名する。前記画素グループｃは行方向及び列方向に反復的に形成されてそれぞれ画素グループ行ＰＧＲと画素グループ列ＰＧＣを構成する。
【００８３】
また、本発明の第３実施形態による液晶表示装置の薄膜トランジスタ基板は、本発明の第２実施形態と同一に、図８で、ｉ行及びｉ+１行に属する画素に形成されたそれぞれの薄膜トランジスタＴは、同じ方向である左側データ線に連結されて、ｉ+２行及びｉ+３行に属する画素に形成されたそれぞれの薄膜トランジスタＴは反対方向である右側データ線に連結されている。すなわち、画素グループ行ＰＧＲ別に薄膜トランジスタの位置が交代で互い違って繰り返されている。
【００８４】
それゆえ、本発明の第３実施形態による液晶表示装置は本発明の第１実施形態と同一な駆動方法で駆動でき、本発明の第１実施形態と同様の効果を有する。
以上のようなペン・タイル・マトリックス（ＰｅｎＴｉｌｅ  Ｍａｔｒｉｘ）の画素配列構造では、青色の単位画素は２個のドットを表示する時に共に共有されており、相互に隣接する青色の単位画素は一つのデータ駆動集積回路によりデータ信号が伝えられて相異なるゲート駆動集積回路により駆動される。このようなペン・タイル・マトリックス画素構造を利用するとＳＶＧＡ（Ｓｕｐｅｒ  Ｖｉｄｅｏ  Ｇｒａｐｈｉｃｓ  Ａｒｒａｙ）級の表示装置を利用してＵＸＧＡ（Ｕｌｔｒａ  Ｅｘｔｅｎｄｅｄ  Ｇｒａｐｈｉｃｓ  Ａｒｒａｙ）級の解像度を具現することができる。また、低価なゲート駆動集積回路の数は増加するが相対的に高価なデータ駆動集積回路の数を減らすことができて表示装置の設計費用を最小化できる。
＜第４実施形態＞
次は、本発明の第４実施形態による液晶表示装置及びその駆動方法を説明する。
【００８５】
図１０は、本発明の第４実施形態による液晶表示装置の画素配列構造と共にその薄膜トランジスタ基板を図示した配置図である。
図１０に示したように、本発明の第４実施形態による液晶表示装置は青色（Ｂ）画素の面積を除外したすべての構造が上述した本発明の第３実施形態と同一である。
【００８６】
レンダリング駆動を実施する時、青色（Ｂ）画素は解像度に及ぼす影響が微細なため、青色（Ｂ）画素領域は無視して、赤色（Ｒ）または緑色（Ｇ）画素に印加される画素電圧を設定して印加する。ところが、実質的に青色（Ｂ）画素が占める領域が存在するので画像が表示される画素の中心とレンダリング駆動時画素の中心がねじれるようになって位相誤差（ｐｈａｓｅ  ｅｒｒｏｒ）が発生する。このような問題点を解決するために図１０に示したように、青色（Ｂ）画素の面積を赤色及び緑色（Ｒ、Ｇ）画素の面積より小さく形成して実質的に青色（Ｂ）画素が占める領域を減らすことが望ましい。
【００８７】
それゆえ、本発明の第４実施形態による液晶表示装置は本発明の第１実施形態と同一な駆動方法で駆動でき、上述した位相誤差の問題点を解決すると同時に、本発明の第１実施形態と同様の効果を有する。
【００８８】
以上添付した図面を参照して本発明の実施形態を説明したが、本発明は前記実施形態に限られないで本発明の技術的要旨を外れない範囲内で当業者により多様に変形実施できる。
【産業上の利用可能性】
【００８９】
レンダリング駆動方式で液晶表示装置を駆動する時に駆動圧迫を最小化しながら、画面表示特性を改善できる。
【図面の簡単な説明】
【００９０】
【図１】本発明の第１実施形態による液晶表示装置で画素配列及びスイッチング素子の配置を簡略に示した概略図である。
【図２】本発明の第１実施形態による液晶表示装置の画素配列構造と共にその薄膜トランジスタ基板を図示した配置図である。
【図３】図２のＩＩＩ−ＩＩＩ’線に沿って切って図示した液晶表示装置用薄膜トランジスタ基板の断面図である。
【図４】本発明の第１実施形態による液晶表示装置を駆動するための駆動装置を簡略に示した概略図である。
【図５】本発明の第１実施形態による液晶表示装置を垂直反転駆動する場合、画素に印加される極性を示した配置図である。
【図６】本発明の第２実施形態による液晶表示装置で画素配列及びスイッチング素子の配置を簡略に示した概略図である。
【図７】本発明の第２実施形態による液晶表示装置の画素配列構造と共にその薄膜トランジスタ基板を図示した配置図である。
【図８】本発明の第３実施形態による液晶表示装置で画素配列及びスイッチング素子の配置を簡略に示した概略図である。
【図９】本発明の第３実施形態による液晶表示装置の画素配列構造と共にその薄膜トランジスタ基板を図示した配置図である。
【図１０】本発明の第４実施形態による液晶表示装置の画素配列構造と共にその薄膜トランジスタ基板を図示した配置図である。
【図１】
2005346037.tif 000003
【図２】
2005346037.tif 000004
【図３】
2005346037.tif 000005
【図４】
2005346037.tif 000006
【図５】
2005346037.tif 000007
【図６】
2005346037.tif 000008
【図７】
2005346037.tif 000009
【図８】
2005346037.tif 000010
【図９】
2005346037.tif 000011
【図１０】
2005346037.tif 000012